(57)【特許請求の範囲】
【請求項１】
カセットシェルの内部にテープ状記録媒体を巻装したテープリールが回転自在に支持されたテープカセットの上記テープリールをロックするリールロック機構で、２つのテープリールとカセットシェルの背面壁の内面との間の空間（以下「三角スペース」という。）に配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、テープカセットのテープドライブ装置への装着により上記スライダーが後退し、かつ、上記ロック片が回動されてリールロックが解除されるリールロック機構において、
上記ロック片は、テープリールに係合する係止爪を有した前側片と、スライダーに対して回動支持される被支持部を中心に上記前側片とほぼ反対側に延びる後側片とを備え、
上記スライダーが後退したときに、ロック片の後側片がカセットシェルの背面壁内面に当接し、ロック片がアンロック方向に回動するようにした
ことを特徴とするテープカセットのリールロック機構。
【請求項２】
カセットシェルの内部にテープ状記録媒体を巻装したテープリールが回転自在に支持されたテープカセットの上記テープリールをロックするリールロック機構を有したテープカセットであって、
リールロック機構は、２つのテープリールとカセットシェルの背面壁の内面との間の空間（以下「三角スペース」という。）に配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、テープカセットのテープドライブ装置への装着により上記スライダーが後退し、かつ、上記ロック片が回動されてリールロックが解除されるようになっており、
上記ロック片は、テープリールに係合する係止爪を有した前側片と、スライダーに対して回動支持される被支持部を中心に上記前側片とほぼ反対側に延びる後側片とを備え、
上記スライダーが後退したときに、ロック片の後側片がカセットシェルの背面壁内面に当接し、ロック片がアンロック方向に回動するようにした
ことを特徴とするテープカセット。
【発明の詳細な説明】
【０００１】
【発明の属する技術分野】
本発明はテープカセットのリールロック機構及びこれを用いたテープカセットに関する。詳しくは、テープカセットの小型化、リールロックの動作の安定化を図る技術に関する。
【０００２】
【従来の技術】
テープカセットは、通常、テープ状記録媒体、例えば、磁気テープを巻装した２つのテープリールをカセットシェル内において回転自在に収納されている。
【０００３】
テープカセットには、テープドライブ装置に装着されていない状態、すなわち、非装着時にテープリールの回転を阻止するリールロック機構が設けられているものがあり、これにより、非装着時に、テープカセットに振動等が加わったときでも磁気テープが弛むようなことがないようになっている。
【０００４】
図１及び図２並びに図１１乃至図１６に、従来のリールロック機構ａを備えたテープカセットｂの一例を示す。なお、図１及び図２は、テープカセットｂの全体を示すものであるが、後述する本発明にかかる実施の形態においても用いる図面であり、符号のうち、括弧書きされたアルファベットで示したものが従来の技術に関するものである。
【０００５】
テープカセットｂは、カセットシェルｃ内に、磁気テープｄを巻装した２つのテープリールｅ、ｅが回転自在に収納されており、これらテープリールｅ、ｅの下フランジの外周縁には凹凸状の係合歯ｆ、ｆ、・・・が多数形成されている（図１３〜図１６参照）。
【０００６】
リールロック機構ａは、カセットシェルｃ内の、２つのテープリールｅ、ｅと背面壁とにより囲まれたほぼ三角形をしたスペース（三角スペース）に設けられ、カセットシェルｃの底面であって上記リールロック機構ａの位置する部位には矩形孔ｇが形成されており、当該テープカセットｂがテープドライブ装置に装着されたときに装置側の挿入ピンｈが上記矩形孔ｇからカセットシェルｃ内に侵入し、該挿入ピンｈが上記リールロック機構ａに作用してテープリールｅ、ｅのロックを解除するようになっている（図１３〜図１６参照）。
【０００７】
リールロック機構ａは、スライダーｉと２つのロック片ｊ、ｊとロック用バネｋとスライド用バネｌとから成る（図１１、図１２参照）。
【０００８】
スライダーｉは上記三角スペース内において前後方向に移動自在に支持され、その後端部には左右に離間して支持軸ｍ、ｍが上方へ向けて突設され、また、スライダーｉの上記支持軸ｍ、ｍ間には上方及び後方へ開口する配置凹部ｎが形成されている（図１１、図１２参照）。
【０００９】
スライダーｉの配置凹部ｎより前側のブロックの下面には装置側の上記挿入ピンｈが挿入されるピン挿入凹部ｏが形成され、また、該ピン挿入凹部ｏの後側の側縁は後方へ行くにしたがい下方へ偏倚するテーパ面ｐが形成されている。
【００１０】
ロック片ｊは、平面から見て全体がへの字状の１枚の板状部材からなり、その後端にはへの字に対して垂直に延びる円筒状の被支持部ｑが一体に形成され、また、前端部は互いに離間する方向に折れ曲がり、その先端は先細り状になった係止爪ｒが形成されている（図１１、図１２参照）。
【００１１】
ロック片ｊの被支持部ｑと係止爪ｒとの間の位置であって、その上側縁にはバネ掛け部ｓが一体に形成され、また、ロック片ｊの下側縁はその長さ方向のほぼ半分から前側が下方に垂下する形状になっており、該垂下した部分の後端縁は後述するカム部に当接されてロック片ｊを回動させるカムフォロアーｔとなっている（図１１、図１２参照）。
【００１２】
そして、ロック片ｊは、その被支持部ｑが上記スライダーｉの支持軸ｍに外嵌されて回動自在に支持されている（図１１、図１２参照）。
【００１３】
なお、ロック片ｊには回り止めが設けられ、テープリールｅの係合歯ｆに係合する方向への回動が所定の角度以上にならないようになっている。
【００１４】
ロック用バネｋは異形のねじりバネであり、左右に離間して位置するコイル部ｕ、ｕと該コイル部ｕ、ｕ間を連結する連結部ｖとコイル部ｕ、ｕから突出されそれぞれ連結部ｖの外側に位置する係止部ｗ、ｗとが一体に形成されて成り、２つのコイル部ｕ、ｕが上記支持軸ｍ、ｍに被支持部ｑ、ｑの上側にそれぞれ外嵌して支持され、２つの係止部ｗ、ｗが２つのロック片ｊ、ｊのバネ掛け部ｓ、ｓにそれぞれ係合されており、これにより、ロック片ｊ、ｊの係止爪ｒ、ｒが互いに離間する方向に、すなわち、係止爪ｒ、ｒがテープリールｅ、ｅの係合歯ｆ、ｆに係合する方向に回動付勢されるようになっている（図１２参照）。
【００１５】
スライド用バネｌは圧縮コイルバネであり、カセットシェルｃの背面壁内面と、スライダーｉの上記配置凹部ｎとの間に縮設され、これにより、スライダーｉは前方への付勢力が付与されている（図１３〜図１６参照）。
【００１６】
カセットシェルｃ内の上記スライダーｉが設けられた部位の左右両脇には、その底面から背の低いリブｘ、ｘが立設され、該リブｘ、ｘは平面から見て、スライダーｉのスライド方向に延びる部分とテープリールｅ、ｅの外周縁より一回り大きな部分とロック片ｊ、ｊの移動軌跡中に位置する部分とを有し、そのうち、ロック片ｊ、ｊの移動軌跡中に位置する部分、具体的には上記カムフォロアーｔ、ｔに対応した部分がロック片ｊ、ｊの回動を規制するカム部ｙ、ｙとなっている（図１１、図１２参照）。
【００１７】
そして、テープカセットｂがテープドライブ装置に装着されていない状態においては、スライダーｉが前方に付勢され、ロック片ｊ、ｊのカムフォロアーｔ、ｔがカム部ｙ、ｙから離間した位置に位置し、これにより、ロック片ｊ、ｊは先端の係止爪ｒ、ｒが互いに開く方向に回動されて、テープリールｅ、ｅの係合歯ｆ、ｆに係合され、テープリールｅ、ｅのロック状態が形成される（図１３参照）。
【００１８】
しかも、スライダーｉには前方への付勢力があるため、係止爪ｒ、ｒを介して２つのテープリールｅ、ｅはともに磁気テープｄが緊張する方向への回転力が付与されており、これにより、リールロック状態においては、磁気テープｄは緊張状態が維持される。
【００１９】
つぎに、当該テープカセットｂをテープドライブ装置に装着すると、装置側の挿入ピンｈがカセットシェルｃの矩形孔ｇからカセットシェルｃ内に侵入し、スライダーｉのピン挿入凹部ｏのテーパ面ｐに当接する（図１４参照）。
【００２０】
さらに挿入ピンｈがスライダーｉのピン挿入凹部ｏ内に侵入されていくと、スライダーｉはスライド用バネｌの弾発力に抗して後方へ移動される（図１５参照）。
【００２１】
そして、ロック片ｊ、ｊのカムフォロアーｔ、ｔがカム部ｙ、ｙに当接すると、ロック片ｊ、ｊの係止爪ｒ、ｒが互いに近づく方向に回動され、これにより、ロック片ｊ、ｊの係止爪ｒ、ｒがテープリールｅ、ｅから離間してリールロック状態が解除され、テープリールｅ、ｅが回転可能となる（図１６参照）。
【００２２】
【発明が解決しようとする課題】
ところで、上記従来のテープカセットｂのリールロック機構ａにあっては、次の２つの課題がある。
【００２３】
▲１▼テープカセットｂの小型化を図れない
▲２▼ロック用バネｋの弾発力を小さくすることができず、安定したリールロックを実現できない。
【００２４】
先ず、▲１▼の課題について、
テープカセットｂを小型化した場合に、小さくなった三角スペースに従来のような構成のリールロック機構ａを配設することができないという問題がある。
【００２５】
すなわち、テープカセットｂを小型化した場合、当然三角スペースも小さくなり、スライダーｉのスライド範囲が小さくなってしまう。一方、ロック片ｊ、ｊの係止爪ｒ、ｒの変位量（テープリールｅ、ｅから離間する距離）は、テープカセットｂが小さくなってもさほど変わらず、上記従来のリールロック機構ａにおける係止爪ｒ、ｒの変位量（テープリールからの逃げ量）とほぼ同じくらいは必要である。
【００２６】
そのため、スライド量が小さくなったにもかかわらず係止爪ｒの変位量を同じにするには、上記カム部ｙとカムフォロアーｔとの為す圧力角を大きくしなければならず、圧力角を大きくするということは、カムフォロアーｔに作用しロック片ｊを回動させるために多大な力が必要となってしまい、スライダーｉ及びロック片ｊの動きがスムーズにならず、安定したテープリールｅのリールロック及びアンリールロック動作を確保することができない。
【００２７】
なお、圧力角とは、カム部ｙとカムフォロアーｔとの接触部におけるカム部ｙの法線Ｔ１とカムフォロアーｔの移動方向（回動中心Ｏのカムフォロアーｔの接線方向）Ｔ２との為す角である（図１７、図１８参照）。
【００２８】
図１７及び図１８は、ロック片ｊの係止爪ｒの変位量を一定にする場合に、スライダーｉのスライド量と圧力角との関係を比較する模式図である。
【００２９】
図１７は上記従来のリールロック機構ａにおけるものを模式的に示したものであり、ロック片ｊのスライド量を「σ」とし、係止爪の変位量を「δ」とした場合、カム部ｙとカムフォロアーｔとの為す圧力角は「α」となる。
【００３０】
これに対して、図１８はテープカセットｂの小型化によりロック片ｊのスライド量が小さくなったことを想定したもので、上記図１７のロック片ｊのスライド量がほぼ半分の「σ′」になったとき、上記ロック片ｊの係止爪ｒの変位量を「δ」のままとすると、カム部ｙとカムフォロアーｔとの為す圧力角は「α′」となる。
【００３１】
このことから、テープカセットｂの小型化を図りロック片ｊのスライド量が少なくなるとカム部ｙとカムフォロアーｔとの為す圧力角が大きくなってしまい（α′＞α）、リールロック機構ａのスムーズな動作が得られない、又は得られにくいことが解る。
【００３２】
▲２▼の課題について、
上記ロック片ｊは片持ちばり状であり、衝撃を受けた場合、被支持部ｑを中心に回動しやすいため、より大きな力でリールロック状態を保持する必要がある。
【００３３】
すなわち、上記リールロック機構ａのロック片ｊは、一端が支持軸ｍを支持される被支持部ｑで他端が係止爪ｒとなっており、回動自在な片持ちばり状である。そのため、テープリールｅの係合歯ｆに係止爪ｒが係合したロック状態において、たとえば、テープカセットｂを落下させてしまったなどでロック片ｊに衝撃がかかった場合、ロック片ｊは被支持部ｑを中心に係止爪ｒが回動しようとする。落下させた場合、通常、５００Ｇ〜１０００Ｇの衝撃がかかってしまうため、片持ちばり状のロック片ｊには大きな回動力が発生してしまう。
【００３４】
当然ながら、テープカセットｂの落下は設計段階で想定していることであり、かかる状況においてもリールロックが外れないように、ロック用バネｋの弾発力を強く設計する必要がある。
【００３５】
そのため、カム部ｙとカムフォロアーｔとの接触圧は大きくなってしまい、両者の接触面が摩耗してしまい、その摩耗により両接触面が粗面化し、さらにリールロック機構ａのスムーズな動作が阻害されるという問題がある。
【００３６】
かかる事態を防止するために、たとえば、上記圧力角を小さくすること、接触面の材質を摩擦係数の小さなものにすることなどが考えられるが、前者は上述のようにテープカセットｂの小型化に逆行すること、後者はコスト高を招来することなどから採用することはできない。
【００３７】
そこで、本発明は、上記▲１▼及び▲２▼の問題を解決し、テープカセットの小型化、リールロックの動作の安定化を図ることを課題とする。
【００３８】
【課題を解決するための手段】
そして、本発明テープカセットのリールロック機構は、上記した課題を解決するために、カセットシェルの内部にテープ状記録媒体を巻装したテープリールが回転自在に支持されたテープカセットの上記テープリールをロックするリールロック機構で、２つのテープリールとカセットシェルの背面壁の内面との間のいわゆる三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、テープカセットのテープドライブ装置への装着により上記スライダーが後退し、かつ、上記ロック片が回動されてリールロックが解除されるリールロック機構において、上記ロック片は、テープリールに係合する係止爪を有した前側片と、スライダーに対して回動支持される被支持部を中心に上記前側片とほぼ反対側に延びる後側片とを備え、上記スライダーが後退したときに、ロック片の後側片がカセットシェルの背面壁内面に当接し、ロック片がアンロック方向に回動するようにしたものである。
【００３９】
また、本発明テープカセットは、カセットシェルの内部にテープ状記録媒体を巻装したテープリールが回転自在に支持されたテープカセットの上記テープリールをロックするリールロック機構を有したテープカセットであって、リールロック機構は、２つのテープリールとカセットシェルの背面壁の内面との間のいわゆる三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、テープカセットのテープドライブ装置への装着により上記スライダーが後退し、かつ、上記ロック片が回動されてリールロックが解除されるようになっており、上記ロック片は、テープリールに係合する係止爪を有した前側片と、スライダーに対して回動支持される被支持部を中心に上記前側片とほぼ反対側に延びる後側片とを備え、上記スライダーが後退したときに、ロック片の後側片がカセットシェルの背面壁内面に当接し、ロック片がアンロック方向に回動するようにしたものである。
【００４０】
したがって、本発明テープリールのリールロック機構及びテープカセットにあっては、ロック片の後方へ延びる後側片の被支持部からの向きは、三角スペースにリールロック機構を設けたので比較的自由に設計することができ、これにより、圧力角をさらに小さくすることが可能でリールロック機構の動作をスムーズにすることができる。
【００４１】
また、リールロック機構のロック片を被支持部を中心にほぼ反対方向に延びる前側片と後側片とにより構成したので、誤ってテープカセットを落下させた場合でも、前側片と後側片とに反対方向の回動力がそれぞれ生じ、両回動力が相殺されるのでロック片全体としては回動力が発生することはなく、又は極めて小さくすることができ、これにより、ロック用バネの弾発力を小さいものに設定することができ、ロック片の後側片の端部と背面壁のとの接触圧を小さくすることができ、両接触面の摩耗を減少させ、リールロック機構のスムーズな動作を長期間確保することができ、また、当該接触面に特別な材質のものを用いなくても良く、コスト高を招来することもない。
【００４２】
【発明の実施の形態】
以下に、本発明テープカセットのリールロック機構及びこれを用いたテープカセットの詳細を図１乃至図１０に示した実施の形態に従って説明する。
【００４３】
テープカセット１は、上シェル２と下シェル３とから成るカセットシェル４内に、磁気テープ５を巻装した２つのテープリール６、６が回転自在に収納されており、これらテープリール６、６の下フランジ６ａ、６ａの外周縁には凹凸状の係合歯７、７、・・・が多数形成されている（図１、図２、図５参照）。
【００４４】
カセットシェル４の前端部には、該カセットシェル４の前面に沿って位置する磁気テープ５の前面側を覆うフロントリッド８が回動自在に支持されている（図１、図２参照）。
【００４５】
リールロック機構９は、カセットシェル４内の、２つのテープリール６、６と背面壁１０とにより囲まれたほぼ三角形をしたスペース（三角スペース）１１に設けられ、下シェル３の底面であって上記リールロック機構９が位置する部位には矩形孔１２が形成されており、当該テープカセット１がテープドライブ装置に装着されたときに装置側の挿入ピン１３が上記矩形孔１２からカセットシェル４内に侵入し、該挿入ピン１３が上記リールロック機構９に作用してテープリール６、６のロックを解除するようになっている（図６〜図９参照）。
【００４６】
リールロック機構９は、スライダー１４と２つのロック片１５、１５とロック用バネ１６とスライド用バネ１７とから成る（図３、図４参照）。
【００４７】
スライダー１４は下シェル３に前後方向に移動自在に支持され、その後端部には左右に離間して支持軸１８、１８が上方へ向けて突設され、また、スライダー１４の上記支持軸１８、１８間には上方及び後方へ開口する配置凹部１９が形成されている（図３、図４、図５参照）。
【００４８】
スライダー１４の配置凹部１９より前側のブロックの下面には装置側の上記挿入ピン１３が挿入されるピン挿入凹部２０が形成され、また、該ピン挿入凹部２０の後側の側縁は後方へ行くにしたがい下方へ偏倚するテーパ面２１が形成されている（図６〜図９参照）。
【００４９】
２つのロック片１５、１５は、左右対称の形状を呈しており、平面から見て全体がほぼへの字状で、その屈曲部にへの字に対して垂直に延びる円筒状の被支持部２２、２２が一体に形成され、該被支持部２２、２２より前側の部分（以下「前側片」という。）２３、２３は先端部において互いに離間する方向に折れ曲がり、さらにその先端は先細り状になった係止爪２４、２４が形成されている。
【００５０】
２つのロック片１５、１５の上記被支持部２２より後側の部分（以下「後側片」という。）２５、２５は互いに離間するようの斜め後方へ延び、その後端はカセットシェル４の背面壁１０に当接してロック片１５、１５を反対方向に回動させるカムフォロアー２６、２６になっており、また、ロック片１５、１５の被支持部２２、２２とカムフォロアー２６、２６との間の位置であってその上側縁にはバネ掛け部２７、２７が一体に形成されている（図３、図４参照）。
【００５１】
そして、ロック片１５は、その被支持部２２が上記スライダー１４の支持軸１８に外嵌されて回動自在に支持されており、このようにロック片１５は、被支持部２２を回動中心に前側片２３と後側片２５とがほぼ反対方向に延びるように形成されている（図５参照）。
【００５２】
なお、ロック片１５には回り止め手段が設けられており、テープリール６の係合歯７に係合する方向への回動が所定の角度以上にならないようになっている。具体的には、スライダー１４がその移動範囲中、最前端よりもやや後方の位置においてロック片１５の係止爪２４の先端がテープリール６の下フランジ６ａの外周縁に接する程度までの回動角になっており、図７の状態が上記回り止め手段が効いた状態で、これ以上係止爪２４がテープリール６側に回動しないようになっている。
【００５３】
ロック用バネ１６は異形のねじりバネであり、左右に離間して位置するコイル部２８、２８と該コイル部２８、２８間を連結する連結部２９とコイル部２８、２８から突出されそれぞれ連結部２９の外側に位置する係止部３０、３０とが一体に形成されて成り、２つのコイル部２８、２８が上記支持軸１８、１８に被支持部２２の上側にそれぞれ外嵌して支持され、２つの係止部３０、３０がロック片１５、１５のバネ掛け部２７、２７にそれぞれ係合されており、これにより、２つのロック片１５、１５はその係止爪２４、２４が互いに離間する方向に、すなわち、係止爪２４、２４がテープリール６、６の係合歯７、７に係合する方向に回動付勢されている（図４参照）。
【００５４】
スライド用バネ１７は圧縮コイルバネであり、カセットシェル４の背面壁１０内面と、スライダー１４の上記配置凹部１９との間に縮設され、これにより、スライダー１４は前方への付勢力が付与されている（図６〜図９参照）。
【００５５】
カセットシェル４の背面壁１０のうち、スライダー１４に対応する部位の左右両側の部位は上記ロック片１５、１５のカムフォロアー２６、２６が当接し摺動する部分であり、該部分がロック片１５、１５の回動を規制するため、カム部３１、３１となっている。
【００５６】
そして、テープカセット１がテープドライブ装置に装着されていない状態においては、スライダー１４が前方に付勢され、ロック片１５、１５のカムフォロアー２６、２６がカム部３１、３１から離間して位置し、これにより、ロック片１５、１５は先端の係止爪２４、２４が互いに開く方向に回動されて、テープリール６、６の係合歯７、７に係合され、テープリール６、６のロック状態が形成される（図６参照）。
【００５７】
しかも、スライダー１４には前方への付勢力があるため、係止爪２４、２４を介して２つのテープリール６、６はともに磁気テープ５が緊張する方向への回転力が付与されており、これにより、リールロック状態においては、磁気テープ５は緊張状態が維持される（図６参照）。
【００５８】
つぎに、当該テープカセット１をテープドライブ装置に装着すると、装置側の挿入ピン１３がカセットシェル４の矩形孔１２からカセットシェル４内に侵入し、スライダー１４のピン挿入凹部２０のテーパ面２１に当接する（図７参照）。
【００５９】
さらに挿入ピン１３がスライダー１４のピン挿入凹部２０内に侵入されていくと、スライダー１４はスライド用バネ１７の弾発力に抗して後方へ移動される（図８参照）。
【００６０】
そして、ロック片１５のカムフォロアー２６がカセットシェル４の背面壁１０のカム部３１に当接すると（図７参照）、ロック片１５の係止爪２４が互いに近づく方向に回動され、これにより、ロック片１５の係止爪２４がテープリール６、６から離間してリールロック状態が解除され、テープリール６、６が回転可能となる（図９参照）。
【００６１】
図１０は、カムフォロアー２６がカム部３１に当接した状態を拡大して示すものであり、カム部３１の法線Ｔ１とカムフォロアー２６の移動方向（回動中心Ｏのカムフォロアー２６の接線方向）Ｔ２との為す圧力角を「α」とすると、該圧力角αが小さく、スライダー１４のスライドがスムーズであることが解る。
【００６２】
そして、ロック片１５の後方へ延びる後側片２５の被支持部２２からの向きは、三角スペース１１内において、比較的自由に設計することができ、これにより、圧力角をさらに小さくすることが可能である。
【００６３】
また、カム部３１となっている背面壁１０に、外方に行くにしたがい後方へ偏倚する傾斜面を形成することもでき、更なる圧力角の減少を可能にする。
【００６４】
このように、カム部３１とカムフォロアー２６を三角スペース１１の背面壁１０側に設けることにより、圧力角の設計の自由度を増し、リールロック機構９のスムーズな動作を確保することができる。
【００６５】
また、テープカセット１を誤って落下させた場合、ロック片１５にはその衝撃がかかり回動しようとするが、回転中心である被支持部２２を中心にほぼ反対方向にそれぞれ延びるように前側片２３と後側片２５とが形成されているため、前側片２３と後側片２５とには反対方向への回動力がそれぞれ生じ、その結果、両回動力が相殺されてロック片１５全体としては回動力が発生することはなく、又は極めて小さく、よって、テープリール６、６へのリールロック状態が解除されることはない。
【００６６】
このことは、ロック用バネ１６の弾発力を小さくすることができることであり、上述のように、カム部３１とカムフォロアー２６との接触圧を小さくすることができ、両接触面の摩耗を減少させ、リールロック機構９のスムーズな動作を長期間確保することができ、また、当該接触面に特別な材質のものを用いなくても良く、コスト高を招来することもない。
【００６７】
なお、前記した実施の形態において示した各部の具体的な形状乃至構造は、本発明を実施するに当たっての具体化のほんの一例を示したものに過ぎず、これらによって本発明の技術的範囲が限定的に解釈されることがあってはならないものである。
【００６８】
【発明の効果】
以上に記載したところから明らかなように、本発明テープカセットのリールロック機構は、カセットシェルの内部にテープ状記録媒体を巻装したテープリールが回転自在に支持されたテープカセットの上記テープリールをロックするリールロック機構で、三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、テープカセットのテープドライブ装置への装着により上記スライダーが後退し、かつ、上記ロック片が回動されてリールロックが解除されるリールロック機構において、上記ロック片は、テープリールに係合する係止爪を有した前側片と、スライダーに対して回動支持される被支持部を中心に上記前側片とほぼ反対側に延びる後側片とを備え、上記スライダーが後退したときに、ロック片の後側片がカセットシェルの背面壁内面に当接し、ロック片がアンロック方向に回動するようにしたことを特徴とする。
【００６９】
また、本発明テープカセットは、カセットシェルの内部にテープ状記録媒体を巻装したテープリールが回転自在に支持されたテープカセットの上記テープリールをロックするリールロック機構を有したテープカセットであって、リールロック機構は、三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、テープカセットのテープドライブ装置への装着により上記スライダーが後退し、かつ、上記ロック片が回動されてリールロックが解除されるようになっており、上記ロック片は、テープリールに係合する係止爪を有した前側片と、スライダーに対して回動支持される被支持部を中心に上記前側片とほぼ反対側に延びる後側片とを備え、上記スライダーが後退したときに、ロック片の後側片がカセットシェルの背面壁内面に当接し、ロック片がアンロック方向に回動するようにしたことを特徴とする。
【００７０】
したがって、本発明テープリールのリールロック機構及びテープカセットにあっては、ロック片の後方へ延びる後側片の被支持部からの向きを、三角スペースにリールロック機構を設けたので比較的自由に設計することができ、これにより、圧力角をさらに小さくすることが可能でリールロック機構の動作をスムーズにすることができる。
【００７１】
また、リールロック機構のロック片を被支持部を中心にほぼ反対方向に延びる前側片と後側片とにより構成したので、誤ってテープカセットを落下させた場合でも、前側片と後側片とに反対方向の回動力がそれぞれ生じ、両回動力が相殺されるのでロック片全体としては回動力が発生することはなく、又は極めて小さくすることができ、これにより、ロック用バネの弾発力を小さいものに設定することができ、ロック片の後側片の端部と背面壁のとの接触圧を小さくすることができ、両接触面の摩耗を減少させ、リールロック機構のスムーズな動作を長期間確保することができ、また、当該接触面に特別な材質のものを用いなくても良く、コスト高を招来することもない。
【図面の簡単な説明】
【図１】図２乃至図１０と共に本発明テープカセットのリールロック機構の実施の形態を示すものであり、本図はテープカセットを表側から見た概略斜視図である。
【図２】テープカセットを裏側から見た概略斜視図である。
【図３】リールロック機構を示す拡大斜視図である。
【図４】リールロック機構の拡大分解斜視図である。
【図５】テープカセットの上シェルを外した状態を示す概略平面図である。
【図６】図７乃至図９とともに、リールロック機構の動作を順に示し、（ａ）は拡大平面図、（ｂ）は拡大断面図を示すもので、本図はロック状態を示す図である。
【図７】カムフォロアーがカム部に当接した状態示す図である。
【図８】ロック片がテープリールから離間する状態を示す図である。
【図９】ロックが完全に解除された状態を示す図である。
【図１０】圧力角を説明するための概略平面図である。
【図１１】図１２乃至図１８とともに、従来のリールロック機構を説明するためのもので、本図は拡大斜視図である。
【図１２】リールロック機構の拡大分解斜視図である。
【図１３】図１４乃至図１６とともに、リールロック機構の動作を順に示し、（ａ）は拡大平面図、（ｂ）は拡大断面図を示すもので、本図はロック状態を示す図である。
【図１４】カムフォロアーがカム部に当接した状態示す図である。
【図１５】ロック片がテープリールから離間する状態を示す図である。
【図１６】ロックが完全に解除された状態を示す図である。
【図１７】図１８とともに圧力角を説明するためのもので、本図は上記従来のリールロック機構のものについての概略平面図である。
【図１８】従来のリールロック機構において小型化を図ろうとした場合の概略平面図である。
【符号の説明】
１…テープカセット、４…カセットシェル、５…磁気テープ（テープ状記録媒体）、６…テープリール、９…リールロック機構、１０…背面壁、１１…三角スペース（空間）、１４…スライダー、１５…ロック片、１６…ロック用バネ、１７…スライド用バネ、２３…前側片、２４…係止爪、２５…後側片
【図１】
0003593995.tif 000002
【図２】
0003593995.tif 000003
【図３】
0003593995.tif 000004
【図４】
0003593995.tif 000005
【図５】
0003593995.tif 000006
【図６】
0003593995.tif 000007
【図７】
0003593995.tif 000008
【図８】
0003593995.tif 000009
【図９】
0003593995.tif 000010
【図１０】
0003593995.tif 000011
【図１１】
0003593995.tif 000012
【図１２】
0003593995.tif 000013
【図１３】
0003593995.tif 000014
【図１４】
0003593995.tif 000015
【図１５】
0003593995.tif 000016
【図１６】
0003593995.tif 000017
【図１７】
0003593995.tif 000018
【図１８】
0003593995.tif 000019